(57)【要約】【課題】ユーザが意識することなく、ユーザの実際の操作に基づいて電子機器のキーの長押しによる表示内容の切替周期を自動的に変更することができるようにする。【解決手段】キーの長押しにより表示内容が周期的に切り替えられた後に表示内容の変化を元に戻す操作が行われたとき、この特定操作の検出結果に基づいて、キーの長押しによる表示内容の切替周期をより長く設定する。逆に、キーの長押しにより表示内容が周期的に切り替えられた後に同じキーを複数回連続して短押しする操作が行われたとき、このこの特定操作の検出結果に基づいて、キーの長押しによる表示内容の切替周期をより短く設定する。【選択図】図４
2007094836.tif 000002
【特許請求の範囲】
【請求項１】
キー入力装置と表示装置とを備え、キーが長押しされている期間中、表示内容を周期的に切り換える機能を有する電子機器において、
キーの長押しにより表示内容が周期的に切り替えられた後に表示内容の変化を元に戻す特定操作が行われたことを検出する特定操作検出手段と、
この特定操作検出手段の検出結果に基づいて、キーの長押しによる表示内容の切替周期をより長く設定する制御手段と
を備えたことを特徴とする電子機器。
【請求項２】
前記制御手段は、前記表示内容を戻す操作の度合に応じて前記切替周期を長くする度合を変更することを特徴とする請求項１記載の電子機器。
【請求項３】
キー入力装置と表示装置とを備え、キーが長押しされている期間中、表示内容を周期的に切り換える機能を有する電子機器において、
キーの長押しにより表示内容が周期的に切り替えられた後に同じキーを複数回連続して短押しする特定操作が行われたことを検出する特定操作検出手段と、
この特定操作検出手段の検出結果に基づいて、キーの長押しによる表示内容の切替周期をより短く設定する制御手段と
を備えたことを特徴とする電子機器。
【請求項４】
前記制御手段は、前記同じキーを複数回連続して短押しする操作の度合に応じて前記切替周期を短くする度合を変更することを特徴とする請求項３記載の電子機器。
【請求項５】
複数のキーを有するキー入力装置と表示装置とを備え、少なくとも１つのキーが長押しされている期間中、表示内容を周期的に切り換える機能を備えた携帯電話端末において、
キーの長押しにより表示内容に切り替えられた後に表示内容の変化を元に戻す特定操作が行われたことを検出する特定操作検出手段と、
この特定操作検出手段の検出結果に基づいて、キーの長押しによる表示内容の切替周期をより長く設定する制御手段と
を備えたことを特徴とする携帯電話端末。
【請求項６】
複数のキーを有するキー入力装置と表示装置とを備え、少なくとも１つのキーが長押しされている期間中、表示内容を周期的に切り換える機能を有する携帯電話端末において、
キーの長押しにより表示内容に切り替えられた後に同じキーを複数回連続して短押しする特定操作が行われたことを検出する特定操作検出手段と、
この特定操作検出手段の検出結果に基づいて、キーの長押しによる表示内容の切替周期をより短く設定する制御手段と
を備えたことを特徴とする携帯電話端末。
【請求項７】
キーが長押しされている期間中、表示内容を周期的に切り換えるキー入力制御方法において、
キーの長押しを検出するステップと、
キーの長押し期間中、表示内容を周期的に切り替えるステップと、
キーの長押しにより表示内容が周期的に切り替えられた後に表示内容の変化を元に戻す特定操作が行われたことを検出するステップと、
この特定操作が検出されたとき、キーの長押しによる表示内容の切替周期をより長く設定するステップと
を備えたことを特徴とするキー入力制御方法。
【請求項８】
キーが長押しされている期間中、表示内容を周期的に切り換えるキー入力制御方法において、
キーの長押しを検出するステップと、
キーの長押し期間中、表示内容を周期的に切り替えるステップと、
キーの長押しにより表示内容が周期的に切り替えられた後に同じキーを複数回連続して短押しする操作が行われたことを検出するステップと、
この特定操作が検出されたとき、キーの長押しによる表示内容の切替周期をより短く設定するステップと
を備えたことを特徴とするキー入力制御方法。
【発明の詳細な説明】
【技術分野】
【０００１】
本発明は、キー入力装置と表示装置とを備え、キーが長押しされている期間中、表示内容を周期的に切り換える機能を有する電子機器、携帯電話端末およびキー入力制御方法に関するものである。
【背景技術】
【０００２】
実装スペースの関係上、携帯型の電子機器に実装される操作キーの数は限られたものとなっている。各携帯機器メーカーは、限られたキーでできるだけ各種入力が行いやすいように工夫してユーザインターフェイスを作りこんでいる。
【０００３】
例えば、携帯電話端末において多数の文字を限られた個数のキーで入力するために、同じキーに複数の文字を割り当てておき、キーを押下する度に入力候補として表示される文字を順次切り替えていく方法が採用されている（特許文献１参照）。
【０００４】
また、濁点や半濁点の入力に特定のキーを用いるのではなく、文字キーの長押しにより濁点や半濁点の選択候補を同時に表示し、ユーザに選択させる技術が提案されている（特許文献２参照）。
【０００５】
携帯電話端末の電話帳では、一般に、登録ユーザの一覧画面などで多数の登録者の中から所望の登録者を選択する際に矢印キー等の短押しにより選択候補の強調表示（例えば反転表示）を順次異なる登録者へ移動していくように構成されている。順番の遅い選択候補を表示させるには同一キーの多数回の連続押下が必要となる。これに対し、矢印キー等の長押しにより選択候補の強調表示（例えば反転表示）が周期的に移動していき、長押しを止めることによりその移動が停止し、目的の登録者を選択できるように構成されたものがある。これにより、ユーザは同一キーを多数回連続して押下する必要がなくなり、操作性が改善される。
【０００６】
また、実装スペースとは直接関係しないが、使用者の入力操作時の作用から使用者の状態を判断する技術として、打キー速度や打キー強度を検出し、これに基づいて文字サイズを変更する等の技術が提案されている（特許文献３参照）。
【特許文献１】特開平９−２３２６１号公報
【特許文献２】特開２００４−３０４４２号公報
【特許文献３】特開２００５−１７３９３１号公報
【発明の開示】
【発明が解決しようとする課題】
【０００７】
携帯電話端末における上記のような長押しによる周期的な表示の切替表示においても、一組の表示内容が多い場合には一巡するのに相応の時間がかかる。そこで、この切替の周期をユーザが可変設定することも考えられる。この切替周期を短くすれば、キーの長押しによって表示内容が変化する速度を速めることができる。
【０００８】
しかしながら、キーの長押しによって表示内容が変化する速度が速すぎると、ユーザは所望の表示内容でその変化を止めることに失敗する可能性が高くなる。その場合、同じキーを再度長押ししてもう一巡させる方法があるが、これにはさらに時間を要する。そこで、元の表示内容に戻すための特定の操作を行うこととなる。そのためには、長押ししたキーによる表示内容の変化方向とは逆の方向の変化を行わせるための別のキーを押下するか、または、操作の取り消しもしくは戻り操作のためのキーを必要な戻り回数だけ押下することが必要となる。
【０００９】
また、キーの長押しによって表示内容が変化する速度が遅すぎる場合には、ユーザは所望の表示内容にまでなかなかたどり着くことができず、イライラする。このような状態においては、ユーザは我慢して所望の表示内容が得られるまで待つか、キーを所望の表示内容が現れるまで素速く連打して表示を変えることになる。
【００１０】
前記のように、電子機器のキーの入力方法は色々と工夫されているとはいえ、全てのユーザに使いやすくなっているとは限らない。キーの長押しによって表示内容を変化させる入力方法については、表示内容が変化するタイミングをユーザが自由に変更できることが好ましい。しかし、タイミングを設定画面などで変更した場合、ユーザは実際に使ってみて、設定したタイミングでよいかどうかを試さなくてはならない。もし実際に使用してみてタイミングが合わなければ、ユーザは再度タイミングの設定をしなおす必要があり、場合によっては最適なタイミングを見つけるまでにトライ＆エラー（試行錯誤）を繰り返さなければいけなくなる。ユーザによっては、設定を変更することを面倒に感じ、また、設定を変更できることに気が付かない場合もありうる。
【００１１】
本発明は、このような背景の下でなされたものであり、ユーザが意識することなく、ユーザの実際の操作に基づいて電子機器のキーの長押しによる表示内容の切替周期を自動的に変更することができるようにするものである。
【課題を解決するための手段】
【００１２】
本発明による電子機器は、キー入力装置と表示装置とを備え、キーが長押しされている期間中、表示内容を周期的に切り換える機能を有する電子機器において、キーの長押しにより表示内容が周期的に切り替えられた後に表示内容の変化を元に戻す特定操作が行われたことを検出する特定操作検出手段と、この特定操作検出手段の検出結果に基づいて、キーの長押しによる表示内容の切替周期をより長く設定する制御手段とを備えたことを特徴とする。
【００１３】
キーの長押しによる表示内容の周期的な切替の後に表示内容を元に戻す操作が行われたということは、切替速度が速すぎた（切替周期が短かすぎた）と推定される。そこで、この検出結果に基づいて切替周期を現状より長く設定する。
【００１４】
逆に、キーの長押しにより表示内容が周期的に切り替えられた後に同じキーを複数回連続して短押しする特定操作が行われたことを検出したときは、切替速度が遅すぎた（切替周期が長すぎた）と推定される。そこで、この検出結果に基づいてキーの長押しによる表示内容の切替周期をより短く設定する。
【発明の効果】
【００１５】
本発明によれば、ユーザが意識することなく、ユーザの操作履歴に基づいて、長押しによるキー入力の表示内容の切替タイミングを、自動的にユーザに合った速度にすることができる。
【発明を実施するための最良の形態】
【００１６】
以下、本発明の好適な実施の形態について図面を参照しながら詳細に説明する。本実施の形態では電子機器の一例として携帯電話端末１００を挙げて説明する。但し、本発明は携帯電話端末に限るものではなく、キーを有する任意の電子機器に利用することが可能である。
【００１７】
なお、本発明における「キー」とはユーザが機器に対して指示や情報を入力するための操作子であり、典型的には押しボタン状のものであるが、必ずしもこれに限らない。例えば、上下左右の矢印キーを一体化した複合的な機能キーであってもよい。また、機械的なキーに限らず、画面上に表示されたボタンをマウス等のポインティングデバイスで指示するソフトキーであってもよいし、タッチパネル上に設けられたタッチキーであってもよい。これらのキーを操作する動作は必ずしも「押下」とは限らないが、本明細書では便宜上、ポインティングデバイスの指示やタッチパネルのタッチも含めて「押下」という。
【００１８】
図１は本実施の形態の携帯電話端末１００の外観を示す図である。ここでは折畳式の携帯電話端末を示すが、ストレート型や他の型の携帯電話端末でもよい。
【００１９】
携帯電話端末１００は、上部筐体１２０と下部筐体１１０とをヒンジ１０１を介して回動自在に連結されている。
【００２０】
下部筐体１１０の、折畳んだときに内側となる主面には、電話番号入力や文字入力、発信操作など所定の操作を行うためのキー入力部１１１が配置されている。キー入力部１１１に用意されたキーとしては、０〜９の数字キー（テンキー）、＊，＃のような記号キー、発信操作などを行うためのキー、各種機能を設定するキー、カメラを使用して撮影を行うキーなどがある。また、キー１１１ａは、携帯電話背面のカメラ１２４を使用して撮影を行うためのキーである。キー１１２は、下部筐体１１０のテンキーの上部に配置され、周囲の傾斜による上下左右の指示および中央のボタンでの確定操作が可能な矢印キーである。矢印キーは上下左右一体のドーナッツ型のものを示したが、上下左右でそれぞれ独立したキーを用いるものであってもよい。下部筐体１１０の下端（ヒンジの有る端部と反対の端部）には、音声を電気信号に変換するマイク１１３が配置されている。
【００２１】
上部筐体１２０の、折畳んだときに内側となる主面には、メイン表示部１２３が配置されている。このメイン表示部１２３の画面上には、各種情報やカメラによって撮影された画像、通信相手から送られてきた画像、ＴＶ画像（ＴＶ放送受信機能を備える場合）等が表示される。上部筐体１２０のヒンジ側端部（図では左側）にはクリアキー１１１ｂが配置されている。クリアキー１１１ｂは、入力した電話番号やメール編集時における文字のクリア（削除）に用いるためのキーである。同じく上部筐体１２０のヒンジ側端部（図では右側）には文字種変換キー１１１ｃが配置されている。文字種変換キー１１１ｃは、メール編集時やアドレス帳編集時の文字入力において操作されるキーである。このキーを操作することで、例えば、数字、英文字、かな文字というように文字種が切り替わる。上部筐体１２０の、ヒンジ側端面と反対の端面にはホイップアンテナ１２１が設置されている。さらに上部筐体１２０においてメイン表示部１２３の上側には、電気信号を可聴可能な音声に変換するスピーカ１２２が配置されている。スピーカ１２２からＴＶ音声を出力できるようにしてもよい。
【００２２】
上部筐体１２０の背面にはカメラ１２４が配置されており、このカメラ１２４は携帯電話端末の使用者が周りの風景や人物を撮影するのに使用される。上部筐体１２０の、折畳んだときに外側となる面に、各種情報やカメラによって撮影された画像、通信相手から送られてきた画像等を表示するサブ表示部１２５が配置されている。下部筐体１１０の側面には、イヤホンジャック１２６が配置されている。このイヤホンジャック１２６にイヤホンを挿すことにより、音声などはスピーカ１２２から出力する代わりにイヤホンに出力されるようになる。
【００２３】
図２に、携帯電話端末１００の内部の構成を示す機能ブロック図を示す。
【００２４】
携帯電話端末１００は、制御部２０２、通信回路２０３、表示部２０４、操作部２０５、ＲＡＭ２０６、ＦｌａｓｈＲＯＭ２１０、スピーカ１２２、マイク１１３を、制御ライン２０１やデータライン２０７で相互に接続して構成されている。
【００２５】
制御部２０２は、携帯電話端末１００を制御する中央処理装置（ＣＰＵ）を含み、ＦｌａｓｈＲＯＭ２１０に記憶されたプログラムに基づいて動作し、携帯電話端末１００の全体の動作を司る。
【００２６】
制御ライン２０１は、制御部２０２からの制御信号など、制御データを伝送する制御ラインである。データライン２０７は、画像データや音声データ、メールデータなど、データを伝送する際の伝送ラインである。
【００２７】
通信回路２０３は、アンテナ１２１を介して、画像データや音声データ、メールデータなどのデータを無線で送受信する回路である。
【００２８】
表示部２０４は、図１のメイン表示部１２３およびサブ表示部１２５を含み、各種情報を表示する。操作部２０５は、図１に示したキー入力部１１１等を含み、キーなどからの入力を取り込む部位である。
【００２９】
ＲＡＭ２０６は、制御部２０２のＣＰＵがプログラムを展開したり、一時的にデータを置くための読出し・書込み可能な揮発性メモリである。
【００３０】
ＦｌａｓｈＲＯＭ２１０は、制御部２０２を動作させるためのプログラムコード等、各種のプログラムや、端末のＩＤなど重要なデータ等を不揮発的に記憶する再書き込み可能なメモリである。
【００３１】
これらのブロックは、全て図示しない電源回路から供給される電源によって動作する。
【００３２】
このような携帯型の電子機器としての携帯電話端末は携帯することが前提のため、できるだけ小さく作ることが求められる。そのため、実装されるキーの数は限られたものとなっている。
【００３３】
前述したように、キーの長押しにより表示内容を次々と切り替えていく入力方法がある。「長押し」とは所定の時間を超えて同じキーの押下状態を維持することをいう。キーを長押しすると表示内容（入力候補や選択候補等）が周期的に切り替わる例は、次のようなものが挙げられる。
【００３４】
例１）文字入力時のキー操作
例えば、図３（ａ）に示すように、メールやメモ等の文字の入力時に、新たな文字の入力位置にカーソル３２が表示され、この位置に入力される文字をキーから入力する。図の例では「あ」行のかな文字および数字の“１”が割り当てられたキー３６と、入力を１文字分ずつ元に戻すキー３７を示している。図３（ａ）の例では漢字入力モードで、キー３６を押下する場合の様子を示している。キー３６の短押しを繰り返して行うと、入力文字（入力候補）は順次「あ」「い」「う」「え」「お」「ぁ」「ぃ」「ぅ」「ぇ」「ぉ」と変化していく。一巡すると元の文字に戻る。一巡する一組の文字群としてはかな文字のみを示したが、同キーに割り当てられている他の文字種の文字（英文字や数字、記号等）も含んでもよい。特定のキー（この例ではキー３７）を押すことによって、表示内容の変化を元に戻すことができる。
【００３５】
キー３６を長押しすると、「あ」→「い」→「う」→「え」→「お」→…のように、キーが長押しされている間、自動的に、一定周期で当該文字群の文字が１つずつ順次切り替えられて、入力候補として表示される。目的の文字が現れたとき、長押しを止めると、表示の切替も停止する。この入力文字を確定するためのキー操作により、例えば、確定用のキーを押すか、または次の文字入力のために他のキーを押したとき、この文字の入力が確定される。
【００３６】
例２）一覧表示のフォーカス移動のためのキー操作
例えば、図３（ｂ）に示すように、電話帳等の登録内容の一覧表示において、矢印キー１１２の左右方向の指示により文字の行を表すタブの切替表示が行われ、矢印キー１１２の上下方向の指示により選択候補に当てられるフォーカス４２が上下方向に順次移動していく。このフォーカス４２の移動も本発明における「表示（内容）の切替」に含まれる。フォーカス４２は選択候補を示す任意の強調表示である。このフォーカス４２の移動は一群の選択候補を一巡すると元に戻る。一巡の対象となる１群の選択候補は「行」単位で閉鎖してもよいし、全行にまたがってもよい。ある行の最後の選択候補までカーソルが移動した後に移行する先は、前者の場合は同じ行の最初の選択候補であるのに対し、後者の場合は次の行の選択候補となる違いがある。矢印キー１１２の逆方向の指示によりその移動を戻すことができる。フォーカス４２の移動は矢印キー１１２の一方向の長押しにより一定周期で移動していく。
【００３７】
このように、いずれの場合も、ユーザがキーの長押しをしている間、一定時間間隔で表示内容が切り替えられ、最後まで表示内容が変化したあと、初めの表示に戻って表示内容の切替が続けられる。ユーザがキーの長押しを止めると、表示内容が固定され、特定のキー（確定用のキーや他の文字キー等）を押すことにより、入力が確定される。前記長押ししたキーを短押しすることによっても同じように表示内容を切り替えることができ、短押しをするごとに表示内容が切り替えられるものとする。
【００３８】
しかし、前記入力方法における、表示内容を切り替える最適なタイミングはユーザによって異なる。そのため、本実施の形態では、次のような手段を用いることにより、それぞれのユーザに最適なタイミングで表示内容を切り替えるようにする。
【００３９】
今、ユーザがキーの長押しにより表示内容を周期的に変更した後、逆方向に表示内容を切り替えるキー入力を行った後に、入力を確定させたとする。この状況は、ユーザがキーの長押しにより複数の入力候補の中から所望の入力候補を選ぼうとしたが、表示内容が切り替わる速度が速すぎたために、逆方向に表示内容を戻したと考えることができる。よって、このような場合、表示内容を切り替えるタイミングが早すぎたと考えられる。そこで、表示内容の切替タイミングを一段階遅くする（すなわち切替周期を長くする）。もし、逆方向への表示内容の戻し操作を連続して複数回行った場合、一度に複数段階遅くするようにしてもよい。
【００４０】
キーの長押しによって切り替えられる表示内容が、一巡した場合にも、前記タイミングを一段階遅くするようにしてもよい。
【００４１】
表示内容を戻す操作が行われて入力を確定させる一連の操作（特定操作）が１回発生しただけでは切替周期の変更は行わず、そのような操作が連続して所定の複数回行われたときに切替周期の変更を行うようにしてもよい。そのような一連の操作がたまたま１回行われただけで切替周期を変えるのは妥当でない場合もありうるからである。
【００４２】
前述のように多くの携帯機器はキーの短押しによっても同じように表示内容を切り替えることができる。もし、ユーザがキーの長押しの入力方法を使用した後に、同じキーによる入力で、短押しにより表示内容を切り替える（進める）入力方法を使用し、入力を確定させたとする。この状況は、ユーザがキーの長押しにより入力候補を選ぼうとしたが、表示内容が切り替わるタイミングが遅すぎて自動切替タイミングを待てずに、手動で強制的に表示内容の切替を行ったためと考えられる。このような場合には、前記切替タイミングを一段早くする（すなわち切替周期を短くする）。
【００４３】
短押しによる表示を切り替えるタイミングを計測し、この計測結果が長押しにより表示内容が変化するタイミングより一定時間以上早ければ、前記タイミングを複数段階早くするようにしてもよい。
【００４４】
キーの長押しによる表示内容の切替操作の後に、同じキーの短押しによる表示内容の切替操作が行われて入力が確定される一連の操作（特定操作）が１回発生しただけでは切替周期の変更は行わず、そのような操作が連続して所定の複数回行われたときに切替周期の変更を行うようにしてもよい。
【００４５】
図４により本実施の形態における長押しにより表示内容を切り替える一定周期αをどのように変更するかを説明する。図４（ａ）は一定周期αを長くして表示切替速度を遅くする場合を示し、図４（ｂ）は一定周期αを短くして表示切替速度を速くする場合を示している。図中のＡ〜Ｈは表示内容を模式的に表したものであり、キーの長押しにより、一定周期αで表示内容が順次切り替わっていく。
【００４６】
図４（ａ）の例では、Ｇが目的の表示内容であり、長押しにより表示内容がＡから順次切り替わっていき、Ｇを通り超してＩまで到達したところで、長押しが停止され、戻り操作が２回行われて、目的のＧで入力操作が確定された様子を示している。この場合、長押し後の戻り操作の回数ｎは２となり、一定周期（一定時間）αに対して、変更時間（きざみ）Δｔのｎ倍が加算される。ｎを考慮しない場合には（実際のｎの値にかかわらず、ｎ＝１）、単にΔｔが加算される。
【００４７】
図４（ｂ）の例では、Ｈが目的の表示内容であり、長押しにより表示内容がＡから順次切り替わってＥまで到達した時点で、ユーザが切替速度が遅いと感じて、同一キーの短押しを繰り返し、Ｈまで到達して、入力操作を確定した状態を示している。このとき、ＥからＨまでの短押しの時間間隔ｔ１，ｔ２，ｔ３が計測され、その平均時間ｔが求められる。この場合、通常、α＞ｔの関係があり、ｔの値が新たなαとされる。この代わりに、αからΔｔを減算して新たなαとしてもよい。
【００４８】
次に、本実施の形態における典型的な動作を実現するために制御部２０２（図１）が実行する処理フローを説明する。図５はその処理を表すフローチャートである。
【００４９】
機器の電源投入によりこの処理は起動される。まず、キー入力が行われるのを待つ（Ｓ１１）。キー入力が行われたら（Ｓ１１，Ｙｅｓ）、そのキー入力が長押しかどうかを判断する（Ｓ１２）。キー入力が長押しなら、一定周期αごとに表示内容を切り替える（Ｓ１３）。キー押下の終了後は、次のキー入力を待つ（Ｓ１１）。
【００５０】
ステップＳ１２においてキー入力が短押しであった場合、それが表示内容を戻す操作か否かをチェックする（Ｓ１４）。戻す操作であった場合、表示を１つ前の状態に戻す（Ｓ１５）。また、この戻す操作が長押し後に確定することなく表示を戻す操作である場合（Ｓ１６，Ｙｅｓ）、戻した回数を表す変数ｎを１だけ増分して（Ｓ１８）、ステップＳ１１へ戻る。長押し後の戻す操作ではない場合、変数ｎを“０”にリセットして（Ｓ１７）、ステップＳ１１へ戻る。
【００５１】
ステップＳ１４において、短押しが表示内容を戻す操作ではない場合、そのキー入力が長押しキーと同キーによる表示内容の切替を指示するものか否かをチェックする（Ｓ１９）。Ｙｅｓであれば、表示内容を切り替えて（Ｓ２０）、前回の切替からの時間を求め、平均時間ｔを算出し、これを更新記憶する（Ｓ２１）。その後、ステップＳ１１へ戻る。
【００５２】
ステップＳ１９において、判定結果がＮｏの場合、キー入力の確定と判断し、入力内容を確定する（Ｓ２２）。そこで、最新のキー操作が長押し後に表示を戻す指示を行うものであったか否かをチェックする（Ｓ２３）。Ｙｅｓの場合、一定周期αをｎ段階長くするとともに、ｎを“０”にリセットする（Ｓ２４）。Ｎｏの場合、最新のキー操作が長押し後の短押しか否かをチェックする（Ｓ２５）。Ｙｅｓであれば、ステップＳ２１で求めた時間ｔを一定周期αに代入して（Ｓ２６）、ステップＳ１１へ戻る。Ｎｏの場合、ステップＳ２６を迂回してステップＳ１１へ戻る。いずれの場合も変更された一定周期αの値はメモリ（ＲＡＭ２０６またはＦｌａｓｈＲＯＭ２１０）に記憶され、以降の処理で利用される。
【００５３】
なお、図５の例では、長押し後の短押しによる戻る操作の回数によって、一定周期αを一度に複数段階分変更する構成を説明したが、一度に１段階のみの変更であってもよい。１段階の変更時間（きざみΔｔ）は固定であってもよいし、ユーザが可変設定できるようにしてもよい。
【００５４】
また、一定周期αを短くする場合、短押しの計測時間ｔに基づいてαを設定したが、長くする場合と同様、予め定めた変更時間分Δｔだけの変更を行うようにすることも可能である。
【００５５】
このように、実施の形態によって、ユーザが意識することなく、長押しによるキー入力の表示内容の切替タイミングを、ユーザの実際の操作の履歴に基づいて、ユーザに合った速度にすることができる。
【００５６】
以上、本発明の好適な実施の形態について説明したが、上記で言及した以外にも種々の変形、変更を行うことが可能である。
【図面の簡単な説明】
【００５７】
【図１】本発明の実施の形態の携帯電話端末の外観を示す図である。
【図２】図１の携帯電話端末の内部の構成を示す機能ブロック図である。
【図３】キーを長押しすると表示内容が周期的に切り替わる二例を説明するための図である。
【図４】本発明の実施の形態における長押しにより表示内容を切り替える一定周期αをどのように変更するかの説明図である。
【図５】本発明の実施の形態における典型的な動作を実現するための処理フローを表すフローチャートである。
【符号の説明】
【００５８】
３２…カーソル、３６…キー、３７…キー、４２…フォーカス、１００…携帯電話端末、１０１…ヒンジ、１１０…下部筐体、１１１…キー入力部、１１１ａ…キー、１１１ｂ…クリアキー、１１１ｃ…文字種変換キー、１１２…矢印キー、１１３…マイク、１２０…上部筐体、１２１…ホイップアンテナ、１２１…アンテナ、１２２…スピーカ、１２３…メイン表示部、１２４…カメラ、１２５…サブ表示部、１２６…イヤホンジャック、２０１…制御ライン、２０２…制御部、２０３…通信回路、２０４…表示部、２０５…操作部、２０７…データライン
【図１】
2007094836.tif 000003
【図２】
2007094836.tif 000004
【図３】
2007094836.tif 000005
【図４】
2007094836.tif 000006
【図５】
2007094836.tif 000007